(57)【要約】投写型ディスプレイについて説明する。投写型ディスプレイは、２本の構造支持アームを有し、２本の構造支持アームは、投写型ディスプレイをスタンド又はブラケット上にマウントする。ライトエンジンが、光パターンを生成する。光パターンは、投写型ディスプレイによって表示される。ブリッジプレートが、２本の支持アーム間に位置付けられ、且つライトエンジンが、ブリッジプレート上にマウントされる。
2007536571.tif 000002
【特許請求の範囲】
【請求項１】
投写型ディスプレイであって：
該投写型ディスプレイをスタンド又はブラケットにマウントする２つの構造支持アームと；
当該投写型ディスプレイによって表示される光パターンを生成するライトエンジンと；
ブリッジプレートであり、前記の２つの支持アーム間に位置付けられ且つ当該ブリッジプレート上にライトエンジンがマウントされる、ところのブリッジプレートと、
を有する、
ところの投写型ディスプレイ。
【請求項２】
前記光パターンは仰角レイパスに沿って投写される、
請求項１記載の投写型ディスプレイ。
【請求項３】
前記ブリッジプレートは金型組立体を有する、
請求項１記載の投写型ディスプレイ。
【請求項４】
前記金型組立体は箱型梁の形状である、
請求項３記載の投写型ディスプレイ。
【請求項５】
前記ブリッジプレートはアルミニウム押出しを有する、
請求項１記載の投写型ディスプレイ。
【請求項６】
前記ブリッジプレートは単一の金型を有する、
請求項１記載の投写型ディスプレイ。
【請求項７】
前記ブリッジプレートは金属鋳造を有する、
請求項１記載の投写型ディスプレイ。
【請求項８】
前記ブリッジプレートとは異なる熱膨張係数の部品が、該部品の自由膨張を可能にする取り付けによって前記ブリッジプレートへ取り付けられる、
請求項１記載の投写型ディスプレイ。
【請求項９】
２つの構造支持アームによって支持され且つ前記の支持アームにマウントされるライトボックスを形成するキャビネットを有する投写型ディスプレイであって：
前記の支持アームへ固定され且つ前記の支持アーム間に形成される間隙に位置付けられるブリッジプレートと；
該ブリッジプレートにマウントされるライトエンジンであり、光イメージを精確な仰角レイパスに沿って前記ライトボックスへと上方に投写するライトエンジンと；
を有する、
ところの投写型ディスプレイ。
【請求項１０】
前記ブリッジプレートは十分な剛度を有して前記ライトエンジンの精確な位置を提供する、
請求項９記載の投写型ディスプレイ。
【請求項１１】
前記ブリッジプレートは十分な剛度を有して前記ライトエンジンの移動を防ぐ、
請求項９記載の投写型ディスプレイ。
【請求項１２】
前記キャビネットは前記ブリッジプレートとは独立して前記の支持アームにマウントされる、
請求項９記載の投写型ディスプレイ。
【発明の詳細な説明】
【技術分野】
【０００１】
本出願は、２００４年５月４日に出願された米国仮特許出願第６０／５６７，９２４号明細書、発明の名称「投写型ディスプレイにおけるライトエンジンマウント構造」の優先権を主張し、その全体を参照により本明細書に引用する。
【０００２】
本発明は、概して投写型ディスプレイに係り、特に、投写型ディスプレイのライトエンジンマウントシステムに係る。
【背景技術】
【０００３】
投写型テレビジョンの幾つかは、ライトエンジンを含む。かかる投写型テレビジョンは、スクリーン上の画像安定性を維持するため、ライトエンジンの安定性が非常に重要である。ライトエンジンの安定の重要性は、レイパスが辿る急角度の「仰角（ｕｐａｎｇｌｅ）」に主に起因するものである。熱膨張の不一致に起因するキャビネットのクリープ及び／又は移動が僅かであっても、スクリーン上に許容できない画像移動を引き起こす恐れがある。
【０００４】
従来の投写型ディスプレイでは、ほとんど又は全く「仰角」のレイパスを有していない。かかる投写型ディスプレイに用いられるライトエンジンのマウント構成は、位置及び回転許容度にそれほど敏感ではない。これらの投写型ディスプレイは、熱膨張の差異又はクリープに拘らず、通常の薄板及び成型プラスチックマウントシステムを用いてきた。
【発明の開示】
【発明が解決しようとする課題】
【０００５】
本発明は、ライトエンジンの精確な位置決め及び安定性のあるマウントをもたらし、それにより仰角のレイパスを支持する投写型ディスプレイを提供することを目的とする。
【課題を解決するための手段】
【０００６】
２本の構造支持アームを設けて、投写型ディスプレイを、スタンド又はブラケット上にマウントする。ライトエンジンが、光パターンを生成し、光パターンは、投写型ディスプレイによって表示される。ブリッジプレートが、２本の支持アームに架かり、且つライトエンジンが、ブリッジプレート上にマウントされる。
【発明を実施するための最良の形態】
【０００７】
本発明を、添付の図面を参照しながら例示として以下に説明する。
【０００８】
図１乃至図５に示す本発明は、投写型ディスプレイからなる。投写型ディスプレイにおいて、硬性のブリッジプレート６０が、２本の構造支持アーム１２によって形成された間隙に架かる。２本の構造支持アーム１２は、投写型ディスプレイのマウントに用いられる。
【０００９】
２本の構造支持アーム１２は、図示されるようにスタンド１４へ取り付けられるか又はブラケット（図示せず）へ取り付けられる。スタンド１４は、投写型ディスプレイを、床又は他の略水平面上に支持する。ブラケットは、投写型ディスプレイを、壁又は他の略水平でない面へマウントする。支持構造１７が、スタンド１４の反対側で２本の構造支持アーム１２へ固定される。キャビネット１０が、支持アーム１２及び支持構造１７へ締結される。キャビネット１０は、２つの空隙を形成する。すなわち、キャビネット１０の上方部分におけるライトボックス２０、及びライトボックス２０の下のエレクトロニクス領域３０である。ライトエンジン４０が、ライトボックス２０とエレクトロニクス領域３０との間の境界面で位置付けられる。ライトエンジン４０の位置付けは、ライトエンジン４０がエレクトロニクス領域３０の電子機器へ電気的に接続できる一方で光のパターンをライトボックス２０へと上方に投写するように成される。
【００１０】
薄型の側面をもたらすため、ライトエンジン４０は、光パターンを仰角レイパスに沿って（すなわち、急角度で）投写し、ライトボックス２０の後方にあるミラー２２に反射し、且つライトボックス２０の前方にあるスクリーン（図示せず）へ反射する。この急角度の仰角レイパスに起因して、ライトエンジン４０の位置に少しでも変化があれば、スクリーン上に投写された像の著しい歪みを引き起こす恐れがある。変化とは、たとえば熱膨張、残留応力、又は構造負荷等に起因するキャビネット１０の移動である。
【００１１】
支持アーム１２は、投写型ディスプレイにおける唯一の剛構造である。ブリッジプレート６０は、これらの２本の支持アーム１２間に架かるよう設計され、プラスチックキャビネット１０固有の不安定性による悪影響を受けない。ブリッジプレート６０は、剛性である。その意味するところは、ブリッジプレート６０は、ブリッジプレート６０の装填に鑑みて十分な剛度をもたらし、それにより支持アームと同程度の安定性を保ち、ライトエンジン４０の移動を防ぐ。ライトエンジン４０の移動は、装填、熱膨張又は投写型ディスプレイシステムに典型的に印加される他の力に起因する。配慮すべきは、異なった膨張係数を有する部品の取り付けを、自由膨張ができるよう保証することであり、それにより如何なる不都合な力が、ブリッジプレート６０に印加されることを防ぐ。
【００１２】
多くの異なった技法を用いて、ブリッジプレート６０を、必要な剛度をもたらすよう構成することができる。たとえば、ブリッジプレート６０は、「箱形梁」に近似した剛性の金型（ｓｔｅｅｌ  ｓｔａｍｐｉｎｇ）組立体から作成されてもよい。ブリッジプレート６０は、代替的にはアルミニウム押出し（ａｌｕｍｉｎｉｕｍ  ｅｘｔｒｕｓｉｏｎ）から又は単一の金型若しくは金属鋳造から作成されてもよい。
【００１３】
上記は、本発明を実施するにあたって幾つかの可能性を示したものである。多くの他の実施形態が、本発明の精神及び範囲内で可能である。したがって、上記の説明は限定というよりも例示としてとらえるよう意図され、且つ本発明の範囲は、添付の請求項によって、あらゆる範囲の等価物とともに与えられる。
【図面の簡単な説明】
【００１４】
【図１】本発明の例示的な一実施形態による投写型ディスプレイの構造素子であり、ディスプレイのスクリーンが省略された斜視の正面図を示す。
【図２】図１の投写型ディスプレイの構造素子であり、キャビネットが省略された正面斜視図を示す。
【図３】図１の投写型ディスプレイの構造素子であり、キャビネットが省略された背面斜視図を示す。
【図４】図１の投写型ディスプレイの構造素子であり、ライトエンジンのマウントを示す正面図を示す。
【図５】本発明の例示的な一実施形態による投写型ディスプレイの正面斜視図を示す。
【図１】
2007536571.tif 000003
【図２】
2007536571.tif 000004
【図３】
2007536571.tif 000005
【図４】
2007536571.tif 000006
【図５】
2007536571.tif 000007
【国際調査報告】
2007536571.tif 000008
2007536571.tif 000009
2007536571.tif 000010